(57)【特許請求の範囲】
【請求項１】
長尺の熱溶着性シートをロール状に巻き回してなる紙管体から前記シートを繰り出してヒートシールを行い、個々に区画された包装体を形成するヒートシール装置であって、前記紙管体を支持する給紙ドラムと、該給紙ドラムに対して相対位置変動不能に設けられ、前記紙管体から繰り出される熱溶着シートを案内する案内バーと、前記紙管体から繰り出される熱溶着シートに対して、テンションの付加／解除を行うテンション調節機構とを備え、前記テンション調節機構は、前記給紙ドラム及び案内バーに対して相対位置変動可能に設けられたテンションバーであって、少なくとも、前記案内バーとの共働下に前記紙管体から繰り出される熱溶着シートに対してテンションを掛けるテンション付加位置と、該テンション付加位置より前記案内バーに近接するテンション解除位置とに位置するように構成されたテンションバーを有し、前記ヒートシール装置はケース本体に収納されており、且つ、該ヒートシール装置は給紙ドラム及び案内バーを支持する給紙部を有し、少なくとも該給紙部が前記ケース本体から引き出し可能とされており、前記テンションバーは、前記給紙部のケース本体からの引き出しに応じて、前記テンション付加位置から前記テンション解除位置へ移動するように構成されていることを特徴とするヒートシール装置。
【請求項２】
前記テンション調節機構は、一端部が前記給紙部に連結され、且つ、他端部が自由端部とされた第１アームと、前記第１アームに連結され、且つ、一端部において前記テンションバーを支持する第２アームと、前記テンションバーが前記テンション付加位置から外れた場合に、該テンションバーをテンション付加位置へ向けて付勢する付勢部材と、前記ケース本体に設けられ、前記給紙部の引き出し時に前記第１アーム部材の自由端部と係合して該自由端部の移動を案内する当接部とを備え、前記第１アームは、前記当接部による自由端部の移動案内に応じて、該自由端部と前記一端部との間の水平距離が変化するように移動し、前記第２アームは、前記第１アームの移動に連動して、前記テンションバーをテンション付加位置からテンション解除位置へ移動させることを特徴とする請求項１に記載のヒートシール装置。
【請求項３】
前記テンション調節機構は、前記テンションバーがテンション解除位置に位置する際に、前記第２アームを保持する保持部材をさらに備えていることを特徴とする請求項２に記載のヒートシール装置。
【請求項４】
前記テンション付加位置は、前記案内バーに比して前記給紙部の引き出し方向側に位置し、前記テンション解除位置は、前記案内バーに比して前記給紙部の引き出し方向他方側に位置していることを特徴とする請求項１から３の何れかに記載のヒートシール装置。
【請求項５】
前記請求項１から４の何れかに記載のヒートシール装置を備えたことを特徴とする薬剤分包装置。
【発明の詳細な説明】
【０００１】
【発明の属する技術分野】
本発明は、長尺の熱溶着性シートをヒートシールし、それぞれが個別に区画された包装体を形成するヒートシール装置に関する。
【０００２】
【従来の技術】
長尺の熱溶着性シートをロール状に巻き回してなる紙管体から前記シートを繰り出してヒートシールを行い、個々に区画された包装体を形成するヒートシール装置は、薬剤分包装置等の種々の装置に組み込まれて使用される。
前記ヒートシール装置は、紙管体からヒートシール部への熱溶着シート搬送経路中にテンションバーを備えている。該テンションバーは、前記紙管体から繰り出される熱溶着シートのたるみを防止するものであり、該テンションバーを備えることによって、シール間隔の制御の容易化、及び／又は前記包装体における皺の防止を図ることができる。
【０００３】
しかしながら、従来のヒートシール装置においては、前記テンションバーが固定されているため、紙管体の交換時等における熱溶着シートのセッティング作業が煩雑になるという問題があった。
即ち、例えば、紙管体を構成するシートが全て使用された後には、新しい紙管体を装着する必要がある。この際、前記テンションバーが固定されていると、新しい紙管体から繰り出されたシートにテンションを加えた状態で、該シートを前記テンションバー及び案内バーに巻き回してシール部へ挿通させなければならない。従って、前記テンションバーが固定されている従来のヒートシール装置においては、紙管体の交換時等における熱溶着シートのセッティング作業が煩雑であるという問題があった。
【０００４】
【発明が解決しようとする課題】
本発明は、前記従来技術における問題点に鑑みなされたものであり、紙管体の交換時等における熱溶着シートのセッティング作業の容易化を図り得るヒートシール装置を提供することを、一の目的とする。
【０００５】
【課題を解決するための手段】
本発明は、前記目的を達成する為に、長尺の熱溶着性シートをロール状に巻き回してなる紙管体から前記シートを繰り出してヒートシールを行い、個々に区画された包装体を形成するヒートシール装置であって、前記紙管体を支持する給紙ドラムと、該給紙ドラムに対して相対位置変動不能に設けられ、前記紙管体から繰り出される熱溶着シートを案内する案内バーと、前記紙管体から繰り出される熱溶着シートに対して、テンションの付加／解除を行うテンション調節機構とを備え、前記テンション調節機構は、前記給紙ドラム及び案内バーに対して相対位置変動可能に設けられたテンションバーであって、少なくとも、前記案内バーとの共働下に前記紙管体から繰り出される熱溶着シートに対してテンションを掛けるテンション付加位置と、該テンション付加位置より前記案内バーに近接するテンション解除位置とに位置するように構成されたテンションバーを有し、前記ヒートシール装置はケース本体に収納されており、且つ、該ヒートシール装置は給紙ドラム及び案内バーを支持する給紙部を有し、少なくとも該給紙部が前記ケース本体から引き出し可能とされており、前記テンションバーは、前記給紙部のケース本体からの引き出しに応じて、前記テンション付加位置から前記テンション解除位置へ移動するように構成されているヒートシール装置を提供する。
【０００７】
前記テンション調節機構は、一端部が前記給紙部に連結され、且つ、他端部が自由端部とされた第１アームと、前記第１アームに連結され、且つ、一端部において前記テンションバーを支持する第２アームと、前記テンションバーが前記テンション付加位置から外れた場合に、該テンションバーをテンション付加位置へ向けて付勢する付勢部材と、前記ケース本体に設けられ、前記給紙部の引き出し時に前記第１アーム部材の自由端部と係合して該自由端部の移動を案内する当接部とを備え、前記第１アームは、前記当接部による自由端部の移動案内に応じて、該自由端部と前記一端部との間の水平距離が変化するように移動し、前記第２アームは、前記第１アームの移動に連動して、前記テンションバーをテンション付加位置からテンション解除位置へ移動させるものとすることができる。
【０００８】
好ましくは、前記テンション調節機構は、前記テンションバーがテンション解除位置に位置する際に、前記第２アームを保持する保持部材をさらに備えることができる。
より好ましくは、前記テンション付加位置は、前記案内バーに比して前記給紙部の引き出し方向側に位置し、前記テンション解除位置は、前記案内バーに比して前記給紙部の引き出し方向他方側に位置するものとすることができる。
又、本発明は、前記種々の態様の何れか一に係るヒートシール装置を備えた薬剤分包装置を提供する。
【０００９】
【発明の実施の形態】
以下、本発明に係るヒートシール装置の好ましい一形態について、添付図面を参照しつつ説明する。なお、本実施の形態においては、ヒートシール装置１が薬剤分包装置１００に組み込まれて使用される場合を例に説明する。
図１は、薬剤分包装置１００に組み込まれたヒートシール装置１の部分斜視図であり、該ヒートシール装置１における給紙部１０が前記薬剤分包装置１００のケース本体１１０から引き出された状態を示している。
【００１０】
前記ヒートシール装置１は、長尺の熱溶着性シート２０をロール状に巻き回してなる紙管体２０′から前記シート２０を繰り出してヒートシールを行い、個々に区画された包装体を形成するものであり、前記紙管体２０′を支持する給紙ドラム１１と、該給紙ドラム１１に対して相対位置変動不能に設けられ、前記紙管体２０′から繰り出される熱溶着シート２０を案内する案内バー１２と、該案内バー１２を介して搬送される熱溶着シート２０に対しヒートシールを行うシール部３０と、前記紙管体２０′から熱溶着シート２０を繰り出し前記シール部３０へ向けて搬送する搬送部（図示せず）とを備えている。
なお、図中、符号１３は熱溶着シート２０の搬送方向を変更する方向転換バーであり、符号４０はヒートシール後の熱溶着シート２０を搬送する搬送コンベアである。
【００１１】
前記給紙ドラム１１及び案内バー１２は、薬剤分包装置１００におけるケース本体１１０に対し相対移動可能とされた前記給紙部１０に支持されている。なお、本実施の形態においては、前記給紙部１０に加えて、前記シール部３０もケース本体１１０に対して相対移動可能とされている。即ち、本実施の形態において、前記給紙部１０及びシール部３０が、前記ケース本体１１０内に収納されている収納位置から前方へ引き出され得るようになっている。
【００１２】
図２に、図１のＡ矢視方向から視た前記給紙部１０の側面図を示す。図２(a)は前記給紙部１０の収納状態を示し、図２(b)及び(c)はそれぞれ前記給紙部１０がケース本体１１０から引き出される際の一状態を示している。
前記ヒートシール装置１は、さらに、前記紙管体２０′から繰り出される熱溶着シート２０に対して、テンションの付加／解除を行うテンション調節機構５０を備えている。図３に、該テンション機構５０の拡大側面図を示す。図３(a)〜図３(c)はそれぞれ図２(a)〜(c)に対応した状態を示している。
【００１３】
図２及び図３に示すように、該テンション調節機構５０は、一端部５１ａが前記給紙部１０に揺動自在に連結され、且つ、他端部５１ｂが自由端部とされた第１アーム５１と、該第１アーム５１と連動するように該第１アーム５１に連結された第２アーム５２と、該第２アーム５２の一端部に支持され、前記第１アーム５１に揺動に応じて、前記案内バー１２との共働下に熱溶着シート２０に対してテンションを付加するテンション付加位置と、該熱溶着シート２０に対するテンションを解除するテンション解除位置とをとるようにされたテンションバー５３と、該テンションバー５３が前記テンション付加位置から移動した際に該テンションバー５３をテンション付加位置へ向けて付勢する付勢部材５４と、前記ケース本体１１０に設けられ、前記給紙部１０の引き出し時に前記第１アーム５１の自由端部５１ｂと係合して該自由端部５１ｂの移動方向を案内する当接部５５とを備えている。なお、前記第１アーム５１と第２アーム５２との連結には、両者が別部材である態様に加えて、両者が一体形成されている態様も含まれる。
【００１４】
以下に、前記テンション調節機構５０の動作説明を行う。
前記給紙部１０を前記ケース本体１１０に収納された状態から前方へ引き出すと、引き出し途中において前記第１アーム５１の他端部（自由端部）５１ｂが前記当接部５５に当接する（図２(b)及び図３(b)参照）。図４に、前記第１アーム５１の他端部（自由端部）５１ｂと前記当接部５５との係合部分の概略平面図を示す。なお、前記当接部５５は、前記第１アーム５１の他端部（自由端部）５１ｂの給紙部引き出し方向（前方）への移動を規制しつつ、逆方向への移動は許容し得るようになっている。
【００１５】
図２(b)及び図３(b)に示す状態から、さらに給紙部１０を引き出すと、前記第１アーム５１は、前記他端部（自由端部）５１ｂの水平方向位置が前記当接部５５に拘束された状態で、一端部５１ａだけが前方へ移動する（図２(c)及び図３(c)参照）。即ち、前記第１アーム５１の自由端部５１ｂが前記当接部５５と係合している状態で、給紙部１０が引き出されると（図２(b)と図２(c)との間、又は図３(b)と図３(c)との間）、前記第１アーム５１は、一端部５１ａと他端部５１ｂとの間の水平方向距離が広がるように、揺動する。
【００１６】
一方、第２アーム５２は、給紙部１０がケース本体１１０に収納されている際には、テンションバー５３をテンション付加位置に位置させるような姿勢をとっている。そして、給紙部１０の引き出し動作の際に、第１アーム５１が揺動すると、これに応じて、第２アーム５２は、前記付勢部材５４の付勢力に抗して前記テンションバー５３をテンション解除位置に位置させるように移動する。なお、好ましくは、給紙部１０にテンションバー５３の移動を案内する案内スロット５６を設けることができ、これにより、テンションバー５３を安定して移動させることができる。
【００１７】
前記テンション調節機構５０は、さらに、テンション解除位置へ移動させられた前記テンションバー５３を該テンション解除位置で保持し得るように構成された保持部材５７を備えている。本実施の形態においては、該保持部材５７は、第２アーム５２を、テンションバー５３がテンション解除位置に位置する姿勢に、保持し得るようになっており、これにより、前記付勢部材５４による付勢力に抗して、テンションバー５３をテンション解除位置に保持するようになっている。
【００１８】
即ち、前記テンションバー５３は、前述のように、付勢部材５４によって、テンション付加位置から外れた際には該テンション付加位置へ向かって付勢されているが、テンションバー５３がテンション解除位置へ移動させられた際に前記保持部材５７を作用させると、該保持部材５７が前記付勢部材５４の付勢力に抗してテンションバー５３をテンション解除位置に保持するようになっている。そして、前記保持部材５７の作用が解除されると、付勢部材５４の付勢力によって、前記テンションバー５３はテンション付加位置へ戻らされる。
なお、本実施の形態においては、前記保持部材５７として電磁石を用いており、該電磁石のＯＮ／ＯＦＦによって第２アーム５２の保持／解除を行うようになっている。
【００１９】
このように本実施の形態に係るヒートシール装置１においては、前記テンションバーが、前記案内バー１２との共働下に前記紙管体２０′から繰り出される熱溶着シート２０に対してテンションを掛けるテンション付加位置と、該テンション付加位置より前記案内バー１２に近接するテンション解除位置とをとり得るように構成されているので、紙管体２０′の交換時等のおける熱溶着シート２０のセッティング作業を簡略化させることができる。
【００２０】
即ち、テンションバーの位置が固定されている場合には、紙管体から繰り出される熱溶着シートにテンションを掛けながら、該シートを、テンションバー及び案内バーを介してシール部までに巻き回さなければならなず、熱溶着シートのセッティング作業が煩雑になる。
これに対し、本実施の形態においては、テンションバー５３がテンション付加位置からテンション解除位置へ移動させられるように構成されている。従って、熱溶着シート２０をセッティングする際には、前記テンションバー５３をテンション解除位置に位置させ、熱溶着シート２０にテンションを掛けずに該シートを前記シール部３０まで導き、その後に、前記テンションバー２０をテンション付加位置へ移動させるだけで、紙管体２０′からシール部３０へ巻き回された熱溶着シート２０に所定のテンションを与えることができる。このように、本実施の形態においては、紙管体２０′から繰り出される熱溶着シート２０にテンションを掛けながら該シートをテンションバー５３及び案内バー１２に巻き回す必要がなく、熱溶着シート２０のセッティング作業の効率化を図ることができる。
【００２１】
さらに、本実施の形態においては、テンションバー５３のテンション付加位置からテンション解除位置への移動を、給紙部１０の引き出し動作に連動して行うように構成しているので、紙管体の交換時等における熱溶着シートのセッティング作業をより効率化させることができる。
【００２２】
好ましくは、図２及び図３に示すように、テンションバー５３のテンション付加位置を前記案内バー１２より給紙部１０の引き出し側（前方側）へ位置させ、且つ、前記テンション解除位置を前記案内バー１２より給紙部収納側（後方側）へ位置させることができる。このように構成することによって、紙管体２０′から繰り出された熱溶着シート２０を巻き回すことなく、テンションバー５３と案内バー１２との間に挿通させることができ（図２(c)参照）、熱溶着シート２０のセッティング作業をより効率化させることが可能となる。
【００２３】
さらに、好ましくは、前記第１アーム５１及び第２アーム５２に対して所定距離だけ相対移動可能に連結されたベース部材５８を備えることができ、該ベース部材５８を介して第１アーム５１及び第２アーム５２が前記保持部材５７に保持され得るように構成することができる。即ち、テンションバー５３がテンション解除位置に位置する際に、前記ベース部材５８が保持部材５７に保持され、これにより、第１アーム５１及び第２アーム５２の位置が固定されるように構成できる。
【００２４】
具体的には、前記ベース部材５８は、基端部が該第２アーム５２と第１アーム５１との連結部を越えて下方（保持部材５７に近接する方向）へ延在されるように、第２アーム５２に沿って配設されている。該ベース部材５８と第２アーム５２とは、一方に形成された長孔７２と、他方に形成され，該長孔７１に係入される係入部７１とにより連結されており、第２アーム５２とベース部材５８とは前記係入部７１が前記長孔７２内を移動する限りにおいて相対移動可能となっている。さらに、前記第２アーム５２及びベース部材５８は、前記係入部７１が前記長孔７２の一端部に位置するように互いに付勢されている（図３参照）。
【００２５】
斯かる構成においては、テンションバー５３がテンション解除位置に位置する状態において、前記ベース部材５８が保持部材５７に保持される。この際、前記係入部７１は前記長孔７２の一端部側に位置している（図３参照）。そして、この状態から、さらに、給紙部１０を引き出すと、前記ベース部材５８が保持部材５７に保持されたままの状態で、前記第１アーム５１の他端部（自由端部）５１ｂが前記当接部５５の下端を越えるように、第１アーム５１及び第２アーム５２だけが移動する。即ち、前記ベース部材５８は移動せずに、前記係入部７１が前記長孔７２の一端部から他端部へ移動する距離だけ、第１アーム５１及び第２アーム５２だけが移動し、これにより、第１アーム５１の他端部（自由端部）５１ｂが当接部５５の下端を越えるようになっている（図５参照）。従って、前記保持部材５７がベース部材５８を保持した状態のまま、第１アーム５１の他端部（自由端部）５１ｂと前記当接部５５との係合関係が解除され、給紙部１０は自由に前方へ移動される。
【００２６】
【発明の効果】
以上のような構成に係るヒートシール装置又は薬剤分包装置によれば、紙管体の交換時等における熱溶着シートのセッティング作業の容易化を図ることができる。
【図面の簡単な説明】
【図１】図１は、薬剤分包装置に組み込まれた，本発明の一形態に係るヒートシール装置の斜視図である。
【図２】図２は、図１におけるＡ矢視方向から視た給紙部の側面図であり、図２(a)は給紙部の収納状態を示し、図２(b)は給紙部の引き出し途中の状態を示し、図２(c)はさらに給紙部を引き出した状態を示している。
【図３】図３は、前記給紙部におけるテンション調節機構の概略側面図であり、図３(a)〜図３(c)はそれぞれ図２(a)〜図２(c)における状態に対応している。
【図４】図４は、前記テンション調節機構における第１アームの自由端部と当接部との係合関係を示す概略平面図である。
【図５】図５は、前記給紙部におけるテンション調節機構の概略側面図であり、図３(c)に示す状態からさらに給紙部を引き出した状態を示している。
【符号の説明】
１        ヒートシール装置
１０      給紙部
１１      給紙ドラム
１２      案内バー
２０      熱溶着シート
３０      シール部
５０      テンション調節機構
５１      第１アーム
５２      第２アーム
５３      テンションバー
５４      付勢部材
５５      当接部
５６      案内スロット
５７      保持部材
１００    薬剤分包装置
１１０    ケース本体
【図１】
0004404454.tif 000002
【図２】
0004404454.tif 000003
【図３】
0004404454.tif 000004
【図４】
0004404454.tif 000005
【図５】
0004404454.tif 000006